(57)【要約】【目的】海上における警察行動あるいは戦闘行動において良好な防弾性を備え、かつ入水時には防弾具が干渉することなく、スムースに気室が膨張可能な防弾救命具を提供する。【構成】装着者の前部および／または後部に装着するための救命具本体を収納する包装袋２、３と、前記装着者の前部および後部を覆い、かつ包装袋を覆う防弾具４、４’とを設けた防弾救命具であって、前記前部の防弾具と後部の防弾具間に緊締ベルト５を設けるとともに、前記緊締ベルトはその長手方向の力に対しては抵抗性を示し、長手方向に垂直な方向には容易に剥離するように折り畳めるようになっていることを特徴とする。【選択図】  図３
2005055078.tif 000002
【特許請求の範囲】
【請求項１】
装着者の前部および／または後部に装着するための救命具本体を収納する包装袋と、前記装着者の前部および後部を覆い、かつ包装袋を覆う防弾具とを設けた防弾救命具であって、前記前部の防弾具と後部の防弾具間に緊締ベルトを設けるとともに、前記緊締ベルトはその長手方向の力に対しては抵抗性を示し、長手方向に垂直な方向には容易に剥離するように折り畳めるようになっていることを特徴とする防弾救命具。
【請求項２】
前記緊締ベルトは、防弾具間を接続する主ベルトとこの主ベルトの裏面より重ね合わさって分岐する補助ベルトを備え、前記主ベルトの表面に面ファスナーの雄雌の種類の異なるファスナーを隣接して設け、前記種類の異なるファスナーの一方のファスナーの裏面に前記一方のファスナーと同一種類のファスナーを設けるとともに、前記補助ベルトの表面に前記一方のファスナーと異なる種類のファスナーを設けたことを特徴とする請求項１記載の防弾救命具。
【請求項３】
前記後部に設けられる救命具本体は、膨張したときに、装着者の腋の下を挿通する二つの腕状部分とこれらの腕状部分を連結する給気部分とを備えた気室を有し、前記腕状部分の他方の端部あるいは端部近傍に装着者の腰に装着するためのベルトを備えている救命具本体において、前記腕状部分および給気部分はそれぞれ独立気室になっており、前記給気部分と腕状部分との境界に給気部分より腕状部分へのみ気体を流通させることができる逆止弁を備えていることを特徴とする請求項１または２記載の防弾救命具。
【請求項４】
前記気室は、折り畳まれて包装袋内に収納され、前記包装袋の側部より前記ベルトが伸長しており、前記ベルトによって、前記包装袋は装着者の腰に固定されることを特徴とする請求項３記載の防弾救命具。
【請求項５】
前記包装袋は、包装袋本体と、包装袋本体の左右側部に設けられ、かつ貫通する鳩目穴を有する側面フラップとを備え、前記給気部分は、前記給気部分の外側に索を介して設けられた閉鎖ピンが外側に来るように、包装袋本体の中央部に折り畳まれ、前記腕状部分は、包装袋本体の端部に前記腕状部分の外側に設けられた閉鎖ループが露出するように折り畳まれるとともに、少なくとも２つの鳩目穴を備えたベルトを側面フラップ方向に引き出し、前記腕状部分を覆うように折曲された側面フラップの下面を通り、その端部を折り返して上面を通って、前記包装袋側部より伸長するようにし、かつ前記ベルトの鳩目穴および側面フラップの鳩目穴に閉鎖ループを貫通させ、前記閉鎖ループに閉鎖ピンを貫通して、前記腕状部分を収納するようにした請求項４記載の防弾救命具。
【請求項６】
前記ベルトは腕状部分の他方の先端に取り付けられており、前記腕状部分の内側に設けられたテープを潜通し、緊締できるようになっていることを特徴とする請求項３〜５のいずれか１項記載の防弾救命具。
【発明の詳細な説明】
【技術分野】
【０００１】
本発明は防弾救命具、さらに詳細には、通常の状況で防弾能力があり、かつ良好に活動可能であり、入水したときには、前記防弾部が邪魔になることなく、気室が膨張し、浮力を得ることが可能な防弾救命具に関する。
【背景技術】
【０００２】
一般に、海上などにおいて作業を行う場合には、救命具を装着して行うことが多い。このような場合において、海上における警察行動あるいは戦闘行動に従事する場合には、いわゆる防弾チョッキなどの防弾具を装着することが多い。しかしながら、防弾具を救命具の下に着用すると、着弾したときに救命具が破損し、入水時に浮力が得られない恐れがあり、一方救命具の上に防弾具を着用すれば、防弾具が邪魔になって救命具の気室の膨張を妨げられることになる。
【発明の開示】
【発明が解決しようとする課題】
【０００３】
本発明は上述の問題点に鑑みなされたものであり、海上における警察行動あるいは戦闘行動において良好な防弾性を備え、かつ入水時には防弾具が干渉することなく、スムースに気室が膨張可能な防弾救命具を提供することを目的とする。
【課題を解決するための手段】
【０００４】
上記問題点を解決するため、本発明による防弾救命具は、装着者の前部および／または後部に装着するための救命具本体を収納する包装袋と、前記装着者の前部および後部を覆い、かつ包装袋を覆う防弾具とを設けた防弾救命具であって、前記前部の防弾具と後部の防弾具間に緊締ベルトを設けるとともに、前記緊締ベルトはその長手方向の力に対しては抵抗性を示し、長手方向に垂直な方向には容易に剥離するように折り畳めるようになっていることを特徴とする。
【０００５】
本発明による防弾救命具においては、前記防弾具によって救命具本体を覆うとともに、前部および後部の防弾具間に長手方向の力に対しては抵抗性を示し、長手方向に垂直な方向には容易に剥離するように折り畳んだ緊締ベルトで緊締可能（長手方向の力に対し抵抗力があるため）になっている。このため通常の行動においては、装着者の前部および後部に密着して行動を阻害することがない。一方、入水して、救命具本体が膨張したときには、緊締ベルトに長手方向に垂直な方向に力が負荷されるため、前記緊締ベルトの折り畳みが解除され、緊締ベルトは長くなって、救命具本体の膨張を妨げることがない。このため十分な浮力を得ることが可能になる。
【発明の効果】
【０００６】
本発明による防弾救命具においては、前記防弾具によって救命具本体を覆うとともに、前部および後部の防弾具間に長手方向の力に対しては抵抗性を示し、長手方向に垂直な方向には容易に剥離するように折り畳んだ緊締ベルトで緊締可能（長手方向の力に対し抵抗力があるため）になっている。このため通常の行動においては、装着者の前部および後部に密着して行動を阻害することがない。一方、入水して、救命具本体が膨張したときには、緊締ベルトに長手方向に垂直な方向に力が負荷されるため、前記緊締ベルトの折り畳みが解除され、緊締ベルトは長くなって、救命具本体の膨張を妨げることがない。このため十分な浮力を得ることが可能になる。
【実施例】
【０００７】
図１は本発明による防弾救命具の正面図、図２は背面図、図３は側面図であるが、この図より明らかなように、防弾救命具は、チョッキ状の救命衣１を備え、前記救命衣１の前身頃部分に救命具本体および救命具本体を膨張させるためのボンベを収納した前部包装袋２を備えている。さらに、後部の腰部分に同様に救命具本体および救命具本体を膨張させるためのボンベを収納した後部包装袋３が固定ベルトＢによって固定されている。
【０００８】
この前後の包装袋２および３を覆うように、ポリアミド繊維などの合成繊維あるいは金属の防弾板および着弾したときの衝撃を緩衝するための弾性体を装入した防弾具（前部防弾具）４が備えられている。同様の防弾具（後部防弾具）４’が装着者の後部を覆うように後部にも設けられている。前記前部防弾具４は長さを調整可能なバックル４１を備えたバンド４２によって前記救命衣１の両肩部に固定されており、一方、後部防弾具４’も救命衣１の後部に前記同様なバックル４１’を備えたバンド４２’によって固定されている。
【０００９】
前部防弾具４および後部防弾具４’は上述の実施例においては救命衣１に固定されているが、これに限定されるものではなく、救命衣１に固定されず、別個のチョッキなどに固定し、このチョッキなどを救命衣１の上側に着用するようにしてもよい。
【００１０】
上述のように、前部防弾具４および後部防弾具４’によって前部包装袋２および後部包装袋３が覆われているため、着弾時に、救命具本体およびボンベを有効に保護することができる。
【００１１】
このような前後の防弾具４，４’は相互に緊締ベルト５によって緊締される。この緊締ベルト５は、その長手方向の力に対しては抵抗性を示し、長手方向に垂直な方向には容易に剥離するように折り畳み可能である。前記折り畳みが可能な緊締ベルト５を図４に示す。
【００１２】
この図より明らかなように、緊締ベルト５は、前後の防弾具４，４’を接続する主ベルト５１とこの主ベルト５１と一体化された補助ベルト５２よりなっている。補助ベルト５２は主ベルト５１と一部重ね合わされ、主ベルト５１に裏面より分岐している。主ベルト５１の一部の表面には、面ファスナーの雄ファスナー５１１が設けられており、この雄ファスナー５１１に隣接して、雌ファスナー５１２が備えられている。
【００１３】
さらにこの雄ファスナー５１１の裏面にも雄ファスナー５１３が設けられている（図５参照）。一方、補助ベルト５２の表面（主ベルト側）には雌ファスナー５２１が形成されている。
【００１４】
図５はこのような緊締ベルト５の折り畳み法を模式的に示すものであり、図５（ａ）は、図４に示した状態の主ベルト５１と補助ベルト５２の関係を示している。Ｓは主ベルト５１と補助ベルト５２との縫製などによる固定部分を示している。まず、図５（ｂ）に示すように主ベルト５１の雌ファスナー５１２に隣接する部分をほぼ雌ファスナー５１２の長手方向の長さを折曲した後、前記雌ファスナー５１２をこれに隣接する雄ファスナー５１１に接着する。
【００１５】
その後、前記雄ファスナー５１１の裏面に設けられた雄ファスナー５１３を補助ベルト５２の雌ファスナー５２１に接着することによって固定する（図５（ｃ）参照）。このように主ベルトを折り畳むことにより主ベルト５１は短くなる。このような面ファスナーの雄雌の種類は、上述した雄雌のファスナーと反対の種類であってもよいのは明らかである。
【００１６】
このような面ファスナーは、緊締ベルト５の長手方向には大きな抵抗性を示すため、長さを調整可能なバックル５３によって長さを調整することにより、防弾具４，４’は相互に緊密に緊締されることになる。一方、救命具本体の気室が膨張するときには、前記緊締ベルト５には前記長手方向と垂直な方向に（面ファスナーが剥離する方向に）力が作用するため、面ファスナーの接着が解除され、前記折り畳みＦは開放されて、緊締ベルト５は長くなる。
【００１７】
このため、防弾具４，４’と救命衣１との間に余裕が生じ、前部救命具本体６および後部救命具本体７が膨張しても、バンド４２および４２’の救命衣１の取り付け部分を支点に防弾具４，４’は回動し、前部救命具本体６および後部救命具本体７の膨張に干渉することがなくなる。
【００１８】
前部の救命具本体６は、袋状であるが、後部救命具本体７は基本的にＨ形状をした特殊なものを使用している。図７は、本発明に典型的に使用される後部救命具本体７の気室を膨張させたときの図、図８は気室が膨張していないときの平面図であるが、これらの図より明らかなように、後部救命具本体７は、気体の流入によって膨張する気室Ｃとこの気室Ｃの先端部あるいはその付近に設けられたベルトＢを備えた構造になっている。
【００１９】
前記気室Ｃは、膨張したときに、装着者の腋の下を挿通するようになっているほぼ平行な二つの腕状部分７１とこの二つの腕状部分７１に接続した給気部分７２よりなっており、前記腕状部分７１及び給気部分７２はそれぞれ独立した気室を構成している。前記給気部分７２には、この給気部分７２に気体を注入するためのボンベ８が備えられている。前記腕状部分７１と給気部分７２の境界には、給気部分７２よりの気体は通過させるが、腕状部分７１より給気部分７２への気体を通過させないような逆止弁７３が設けられている。
【００２０】
したがって、このボンベ８を作動させて気体（たとえば炭酸ガス）を給気部分７２に給気することにより、気体は逆止弁７３を介して、腕状部分７１に流通し、二つの腕状部分７１を膨張させることができる。
【００２１】
一方、一つの腕状部分７１に気体漏れを生じたときには、前記逆止弁７３は腕状部分７１より給気部分７２への気体を通過させないため、他方の腕状部分７１の気体は漏洩せず、浮力を保持することができる（この場合、給気部分７２の気体は逆止弁を介して漏洩する）。一方、給気部分７２に気体の漏洩が生じたときには、逆止弁７３の作用によって、２つの腕状部分７１の気体漏洩は防止でき、良好な浮力を確保することができる。
【００２２】
前記ベルトＢは前記腕状部分７１の一方の先端部に固定されており、腕状部分７１の内側（装着者Ｈ側）の周方向に形成されたＢ１を通過して折り返し、長さを調整可能なバックルＢ２に接続している。
【００２３】
このベルトＢによって、包装袋３に収納された救命具本体７を装着者の腰部分に脱着できるようになっている（図３参照）。
【００２４】
図９は、前記救命具を収納するための包装袋３の開いたときの平面図であるが、この実施例においては、救命具を収納するための底面となる長方形状の包装袋本体３１とこの包装袋本体３１の左右側辺に形成され、図面手前方向に折曲可能な２つの側面フラップ３２と前記包装袋本体３１の上下辺に設けられ、図面手前方向に折曲可能な閉鎖フラップ３３とを有している。前記側面フラップ３２は鳩目穴３２１が形成されており、一方、上部フラップ３３には面ファスナー３３１が内側に（図面手前側）設けられ、下部フラップ３３’には外側の対応する位置に面ファスナー３３１が備えられている。
【００２５】
このような包装袋３を使用して、前記救命具を収納するには、たとえば図１０のようにする。すなわち、前記給気部分７２の連結する部分より装着者にとって後方になる後方部分７１２を一方の端部部分で蛇腹状に折り畳み収納する。
【００２６】
次いで腕状部分７１の、前記給気部分７２の連結する部分より装着者Ｈにとって前方になる前方部分７１１を、前記腕状部分７１の外側に設けられた閉鎖ループ７４が取り出しやすいように折り畳む。さらに包装袋本体３１に給気部分７２を包装袋本体３１の中央部で蛇腹状に折り畳み、前記給気部分７２の外側に設けられるボンベ８およびこのボンベ近傍に索を介して固定された閉鎖ピン７５が外側になるようにする。
【００２７】
次いで前記側面フラップ３２を前記折り畳んだ包装袋本体端部部分に折り畳んだ腕状部分７１に被せる。腕状部分７１の先端に固定されたベルトＢを、前記側面フラップ３２の下面および先端を折り返して上面を沿うように上方に引き出す。このときベルトＢの鳩目穴Ｂ３およびＢ３’が側面フラップ３２の鳩目穴３２１に対応する位置になるようにする。前記腕状部分７１の外側に設けられたループ７４を前記鳩目穴Ｂ３，３２１，Ｂ３’に貫通させ、給気部分７２の外側に索を介して固定された閉鎖ピン７５を前記ループ７４に貫通させて固定する。
【００２８】
上述のように、両方の腕状部分７１を折り畳んだ後、下部閉鎖フラップ３３’を被せ、さらに上部フラップ３３を重ね合わせて、面ファスナー３３１で固定することにより収納することができる。
【００２９】
このような包装袋構造とすることによって、通常装着時には包装袋３のフラップ３２，３３、３３’が不時解放されることなく、気室の膨張時には前記フラップが確実に、かつ迅速に解放され、良好な浮遊姿勢を取ることができる。
【００３０】
このような後部の救命具本体７は、前述のように、救命具本体が蛇腹状に収納された包装袋３が、図３に示すように、装着者の腰部分になるようにベルトＢによって装着する。この実施例の救命具においては水に濡れると、自動的にボンベ８が作動するようになっているため、水中に落下したとき、ボンベ８より気体が気室Ｃに注入される。装着者が作動索を引くことによって、ボンベ８を作動させるようにしてもよい。
【００３１】
前記腕状部分７１と給気部分７２の境界には、給気部分７２よりの気体は通過させるが、腕状部分７１より給気部分７２への気体を通過させないような逆止弁７３が設けられている。このため、気体はまず、給気部分７２を膨張させ、その圧力によって、逆止弁７３を介して腕状部分７１を膨張させる。
【００３２】
このとき、給気部分７２の外側に索を介して固定されている閉鎖ピン７５は、前記給気部分７２の膨張にともない、引っ張られることになり、閉鎖ループ７４から抜脱することになる。同時に、気室Ｃの膨張による内側からの圧力によって、面ファスナー３３１も剥離して、包装袋３が自動的に開放されるようになっている。
【００３３】
気室Ｃが膨張すると、気室Ｃの二つの腕状部分７１は、結果として装着者Ｈの両方の腋の下を挿通するようになる。
【００３４】
このように、浮力を確保したとき、安定性を向上させるためにバックルＢ２によってベルトＢの長さを調整し、装着者と気室ＣおよびベルトＢとを密着するようにすることができる。
【００３５】
このような状態で、万一、気体の漏洩を生じた場合には、２つの腕状部分７１および給気部分７２はそれぞれ独立した気室になっており、しかも、前記腕状部分７１と給気部分７２の境界には、給気部分７２よりの気体は通過させるが、腕状部分７１より給気部分７２への気体を通過させないような逆止弁７３が設けられている。このため、一つの腕状部分７１に気体漏れを生じたときには、前記逆止弁７３が腕状部分７１より給気部分７２へ気体を通過させないため、他方の腕状部分７１の気体は漏洩せず、浮力を保持することができる（この場合、給気部分７２の気体は逆止弁を介して漏洩する）。一方、給気部分７２に気体の漏洩が生じたときには、逆止弁７３の作用によって、二つの腕状部分７１の気体漏洩は防止でき、良好な浮力を確保することができる。
【００３６】
以上のような後部救命具は、本発明において、極めて有用であるがこれに限定されるものではない。
【図面の簡単な説明】
【００３７】
【図１】本発明の防弾救命具の正面図。
【図２】本発明の一実施例の防弾救命具の背面図。
【図３】本発明の一実施例の防弾救命具の側面図。
【図４】本発明の一実施例の緊締ベルトの斜視図。
【図５】本発明の一実施例の緊締ベルトの折り畳み法の模式図。
【図６】本発明の一実施例の救命具本体が膨張したときの側面図。
【図７】本発明の一実施例の救命具本体の一例の平面図。
【図８】本発明の一実施例の救命具本体の一例の膨張していないときの平面図。
【図９】本発明に使用される包装袋の平面図。
【図１０】本発明の救命具を収納した状態の模式図。
【符号の説明】
【００３８】
１            救命衣
２            包装袋
３            包装袋      
３１            包装袋本体
３２            側面フラップ
３３            上部フラップ
３３’          下部フラップ
４            防弾具
５            緊締ベルト
５１            主ベルト
５１１            雄ファスナー
５１２            雌ファスナー
５２            補助ベルト
５２１            雌ファスナー
６            救命具本体
７            救命具本体
７１            腕状部分
７２            給気部分
７３            逆止弁
７４            閉鎖ループ
７５            閉鎖ピン
８            ボンベ
１０            穴部
Ｃ            気室
Ｂ            固定ベルト
【図１】
2005055078.tif 000003
【図２】
2005055078.tif 000004
【図３】
2005055078.tif 000005
【図４】
2005055078.tif 000006
【図５】
2005055078.tif 000007
【図６】
2005055078.tif 000008
【図７】
2005055078.tif 000009
【図８】
2005055078.tif 000010
【図９】
2005055078.tif 000011
【図１０】
2005055078.tif 000012